(57)【要約】【課題】被介護者や高齢者等が使用するのに好適な入浴装置の汎用性をより一層高める。【解決手段】入浴装置は、貯湯部１１及び貯湯部１１の開口縁から外方に張り出したフランジ部１２を有する浴槽１０と、貯湯部１１内に設けられ得る座面部４１を昇降するための昇降機構２０とを備える。昇降機構２０の全部分が貯湯部１１内以外の場所に配置されている。【選択図】図１
2015202346.tif 000002
【特許請求の範囲】
【請求項１】
貯湯部及び前記貯湯部の開口縁から外方に張り出したフランジ部を有する浴槽と、
前記貯湯部内に設けられ得る座面部又は横臥面部を昇降するための昇降機構とを備え、
前記昇降機構の全部分が前記貯湯部内以外の場所に配置されていることを特徴とする入浴装置。
【請求項２】
前記フランジ部に貫通穴が設けられ、前記貫通穴に前記昇降機構の昇降可能な支柱が貫通していることを特徴とする請求項１に記載の入浴装置。
【請求項３】
前記貫通穴が２つ設けられ、前記支柱が２つ設けられ、
前記昇降機構が２つの前記支柱の上端同士を連結する連結部を備えることを特徴とする請求項２に記載の入浴装置。
【請求項４】
前記連結部がスライド機構のガイド部であることを特徴とする請求項３に記載の入浴装置。
【請求項５】
前記昇降機構が前記連結部の一端から前記連結部の軸方向に延伸する第１延伸部を備えることを特徴とする請求項３に記載の入浴装置。
【請求項６】
前記昇降機構が前記連結部の他端から前記連結部の軸方向に延伸する第２延伸部を備えることを特徴とする請求項５に記載の入浴装置。
【発明の詳細な説明】
【技術分野】
【０００１】
本発明は、例えば被介護者や高齢者等が使用するのに好適な入浴装置に関する。
【背景技術】
【０００２】
従来、被介護者や高齢者等が入浴しやすいように、様々な入浴装置が開発されている。このような入浴装置の一例として、浴槽の貯湯部内に配置されて入浴者が着座する着座部と、着座部を昇降させる昇降機構と、を備える入浴装置がある（例えば特許文献１参照）。このような入浴装置では、着座部が昇降機構の可動部に取り付けられることによって、着座部が浴槽の貯湯部内で昇降可能になっている。
【０００３】
さらに、特許文献１で開示されている入浴装置は、着座部が昇降機構の可動部に対して着脱可能に設けられている構成になっている。本構成によれば、着座部を必要としない入浴者（例えば健常者）は、浴槽の貯湯部内の着座部を取り外すことにより、浴槽の貯湯部内を広くして入浴することができる。すなわち、被介護者や高齢者等が使用するのに好適な入浴装置の汎用性を高めることができる。また、本構成によれば、着座部を取り外すことができるために、着座部及び浴槽の貯湯部内の清掃が行い易い。
【先行技術文献】
【特許文献】
【０００４】
【特許文献１】特開２０１３−１６９３６８号公報
【発明の概要】
【発明が解決しようとする課題】
【０００５】
しかしながら、特許文献１で開示されている入浴装置は、昇降機構の支柱が浴槽の貯湯部内に設けられている構成である。このため、着座部を必要としない入浴者（例えば健常者）は、浴槽の貯湯部内の着座部を取り外すことにより、浴槽の貯湯部内を広くして入浴することができるものの、昇降機構の支柱が浴槽の貯湯部内に残った状態になるため、一般的な入浴装置に比べると着座部を必要としない入浴者（例えば健常者）の快適性が損なわれていた。また、昇降機構の支柱が浴槽の貯湯部に張った湯に浸かる構成であるため、昇降機構の支柱が汚れやすかった。
【０００６】
以上の点に鑑みて、本発明の目的は、被介護者や高齢者等が使用するのに好適な入浴装置の汎用性をより一層高めることである。また、本発明の他の目的は、被介護者や高齢者等が使用するのに好適な入浴装置の清掃性をより一層向上することである。
【課題を解決するための手段】
【０００７】
上記目的を達成するために、本発明に係る入浴装置は、貯湯部及び前記貯湯部の開口縁から外方に張り出したフランジ部を有する浴槽と、前記貯湯部内に設けられ得る座面部又は横臥面部を昇降するための昇降機構とを備え、前記昇降機構の全部分が前記貯湯部内以外の場所に配置されている構成（第１の構成）とする。
【０００８】
上記第１の構成によると、昇降機構の全部分が貯湯部内以外の場所に配置されているので、座面部又は横臥面部を必要としない入浴者（例えば健常者）は、座面部又は横臥面部を使用しないことにより、一般的な入浴装置と同程度に浴槽の貯湯部内を広くして入浴することができる。すなわち、上記第１の構成によると、被介護者や高齢者等が使用するのに好適な入浴装置の汎用性をより一層高めることができる。また、上記第１の構成によると、昇降機構が一切湯に浸からないので、被介護者や高齢者等が使用するのに好適な入浴装置の清掃性をより一層向上できる。
【０００９】
また、上記第１の構成の入浴装置において、前記フランジ部に貫通穴が設けられ、前記貫通穴に前記昇降機構の昇降可能な支柱が貫通している構成（第２の構成）が好ましい。
【００１０】
上記第２の構成によると、昇降機構を入浴装置の上方から視た平面視においてフランジ部の領域に収めることができるので、入浴装置の設置スペースが大きくなることを防ぐことができる。
【００１１】
また、上記第２の構成の入浴装置において、前記貫通穴が２つ設けられ、前記支柱が２つ設けられ、前記昇降機構が２つの前記支柱の上端同士を連結する連結部を備える構成（第３の構成）が好ましい。
【００１２】
上記第３の構成によると、連結部を用いて昇降機構に座面部又は横臥面部を取り付けることができるので、昇降機構への座面部又は横臥面部を取り付け及び昇降機構からの座面部又は横臥面部を取り外しが容易になる。
【００１３】
また、上記第３の構成の入浴装置において、前記連結部がスライド機構のガイド部である構成（第４の構成）としてもよい。
【００１４】
上記第４の構成によると、昇降機構に座面部又は横臥面部を略水平方向にスライドするスライド機構によって取り付けることができるので、座面部又は横臥面部が湯に浸かった際に浮力により座面部又は横臥面部が昇降機構から外れることを防止することができる。
【００１５】
また、上記第３の構成の入浴装置において、前記昇降機構が前記連結部の一端から前記連結部の軸方向に延伸する第１延伸部を備える構成（第５の構成）としてもよい。
【００１６】
上記第５の構成によると、昇降機構の支柱、連結部、及び第１延伸部を上昇させた状態にすることで、浴室の洗い場での入浴者の立位保持や立ち上がりを補助する補助具として第１延伸部を利用することができる。
【００１７】
また、上記第５の構成の入浴装置において、前記昇降機構が前記連結部の他端から前記連結部の軸方向に延伸する第２延伸部を備える構成（第６の構成）としてもよい。
【００１８】
上記第６の構成によると、浴室の洗い場が連結部の一端側、他端側のいずれに配置されていても、昇降機構の支柱、連結部、第１延伸部、及び第２延伸部を上昇させた状態にすることで、浴室の洗い場での入浴者の立位保持や立ち上がりを補助する補助具として第１延伸部または第２延伸部を利用することができる。
【発明の効果】
【００１９】
本発明によれば、被介護者や高齢者等が使用するのに好適な入浴装置の汎用性をより一層高めることができる。また、本発明によれば、被介護者や高齢者等が使用するのに好適な入浴装置の清掃性をより一層向上できる。
【図面の簡単な説明】
【００２０】
【図１】本発明の第１実施形態に係る入浴装置の概略斜視図である。
【図２】本発明の第１実施形態に係る入浴装置の概略斜視図である。
【図３】本発明の第１実施形態に係る入浴装置の概略斜視図である。
【図４】本発明の第１実施形態に係る入浴装置の概略斜視図である。
【図５】本発明の第２実施形態に係る入浴装置の概略斜視図である。
【図６】本発明の第２実施形態に係る入浴装置の概略斜視図である。
【図７】本発明の第２実施形態に係る入浴装置の概略斜視図である。
【図８】本発明の第３実施形態に係る入浴装置の概略斜視図である。
【図９】本発明の第３実施形態に係る入浴装置の概略斜視図である。
【図１０】本発明の第４実施形態に係る入浴装置の概略斜視図である。
【図１１】本発明の第４実施形態に係る入浴装置の概略斜視図である。
【図１２】本発明の第４実施形態に係る入浴装置の概略斜視図である。
【図１３】本発明の第４実施形態に係る入浴装置の概略斜視図である。
【図１４】本発明の第４実施形態に係る入浴装置の概略斜視図である。
【図１５】本発明の第４実施形態に係る入浴装置の概略斜視図である。
【図１６】本発明の第５実施形態に係る入浴装置の概略斜視図である。
【図１７】本発明の第５実施形態に係る入浴装置の概略斜視図である。
【発明を実施するための形態】
【００２１】
本発明の実施形態について図面を参照して以下に説明する。
【００２２】
＜第１実施形態＞
図１は本発明の第１実施形態に係る入浴装置の概略斜視図である。本実施形態に係る入浴装置は、浴槽１０と、昇降機構２０とを備えている。
【００２３】
浴槽１０は、上面側が開放された箱型構造である貯湯部１１と、貯湯部１１の上面の開口縁から外方へ張り出したフランジ部１２とを有している。貯湯部１１とフランジ部１２とは一体的に形成されている。浴槽１０の材質としては、特に限定されるものではないが、例えばＦＲＰ（Fiber Reinforced Plastics）等が挙げられる。
【００２４】
貯湯部１１の底壁には、貯湯部１１に溜まった湯を抜くための排水口（不図示）が形成されている。排水口の栓は、例えば、ポップアップ水栓方式が採用されてもよいし、ゴム栓方式が採用されてもよい。
【００２５】
また、本実施形態に係る入浴装置は、フランジ部１２の外縁下方を覆うカバー部３０も備えている。図１では、カバー部３０を対向する二面にのみ設けているが、浴室での本実施形態に係る入浴装置の配置を考慮してカバー部３０をどの面に設けるかを適宜決めると良い。
【００２６】
昇降機構２０は、貯湯部１１内に設けられ得る座面部を昇降するためのものであって、その全部分が貯湯部１１内以外の場所に配置されている。昇降機構２０は、昇降可能な支柱２１と、昇降可能な支柱２２（後述の図２参照）と、支柱２１及び２２の上端同士を連結する連結部２３とを備えている。支柱２１及び２２の上部と連結部２３とによって逆Ｕ字形状の構造体が形成される。この構造体は座面部が取り付けられていないときに手すりとして利用することができる。
【００２７】
支柱２１及び２２はフランジ部１２に設けられる貫通穴を貫通している。また、支柱２１及び２２の下部はフランジ部１２の下方に収納されており、昇降機構２０は、本実施形態に係る入浴装置の上方から視た平面視において、フランジ部１２の領域に収まっている。
【００２８】
昇降機構２０の昇降方式としては、特に限定されるものではないが、例えば油圧シリンダー方式等が挙げられる。また、昇降機構２０の操作部としては、特に限定されるものではないが、例えば浴室の壁面に取り付けられる操作部等が挙げられる。
【００２９】
次に、図２〜図４を参照して、被介護者や高齢者等が貯湯部１１に入る際の手順について説明する。まず、図２に示すように昇降機構２０の支柱２１及び支柱２２並びに連結部２３を上昇させた状態にする。続いて、図３に示すように背もたれ椅子４０を昇降機構２０に取り付ける。
【００３０】
背もたれ椅子４０は、座面部４１と、背もたれ部４２と、取り付け部４３とを備えている。座面部４１と背もたれ部４２とを側面から見た場合、それらは略Ｌ字形状になっている。なお、本実施形態においては、座面部４１と背もたれ部４２とを一体成型しているが、座面部４１と背もたれ部４２とを別々の部品とし、座面部４１の後端部と背もたれ部４２の下端部とを接続する形態であっても構わない。取り付け部４３は背もたれ部４２の背面側（入浴者がもたれかかる面の裏面側）に配置されている。取り付け部４３は側面から見た場合に下方が開放されている略コの字形状になっており、取り付け部４３を連結部２３に引っ掛けることによって、背もたれ椅子４０を昇降機構２０に着脱可能に取り付けることができる。
【００３１】
そして、図３に示す状態において入浴者が背もたれ椅子４０に座り終わってから、昇降機構２０の支柱２１及び支柱２２並びに連結部２３を下降させ図４に示す状態にする。また、被介護者や高齢者等が貯湯部１１から出る際の手順は上述した被介護者や高齢者等が貯湯部１１に入る際の手順の逆となる。これらの手順を実行することにより、被介護者や高齢者等が楽に入浴できる。
【００３２】
一方、座面部を必要としない入浴者（例えば健常者）が入浴する際には、図１に示す状態にすることで、一般的な入浴装置と同程度に浴槽１０の貯湯部１１内を広くして入浴することができる。すなわち、被介護者や高齢者等が使用するのに好適な入浴装置の汎用性をより一層高めることができる。また、本実施形態に係る入浴装置では昇降機構２０が一切湯に浸からないので、被介護者や高齢者等が使用するのに好適な入浴装置の清掃性をより一層向上できる。
【００３３】
＜第２実施形態＞
本発明の第２実施形態に係る入浴装置は、本発明の第１実施形態に係る入浴装置と同様の構成である。ただし、本実施形態では、昇降機構２０は、貯湯部１１内に設けられ得る座面部を昇降するためのものではなく、貯湯部１１内に設けられ得る横臥面部を昇降するためのものである。
【００３４】
図５〜図７を参照して、被介護者や高齢者等が貯湯部１１に入る際の手順について説明する。まず、図２と同様に昇降機構２０の支柱２１及び支柱２２並びに連結部２３を上昇させた状態にする。続いて、図５に示すようにシート体５０の一端を昇降機構２０に取り付け、シート体５０の他端をフランジ部１２に取り付ける。
【００３５】
シート体５０は、横臥面部５１と、吊り上げ部５２と、第１取り付け部５３と、第２取り付け部５４とを備えている。横臥面部５１と吊り上げ部５２とを側面から見た場合、それらは略Ｌ字形状になっている。横臥面部５１と吊り上げ部５２とはそれぞれシート形状である。
【００３６】
第１取り付け部５３はシート体５０の吊り上げ部側端部に配置されている。第１取り付け部５３は側面から見た場合に下方が開放されている略コの字形状になっており、第１取り付け部５３を連結部２３に引っ掛けることによって、シート体５０を昇降機構２０に着脱可能に取り付けることができる。
【００３７】
第２取り付け部５４はシート体５０の横臥面部側端部に配置されている。第２取り付け部５４は側面から見た場合に下方が開放されている略コの字形状になっており、第２取り付け部５４をフランジ部１２に引っ掛けることによって、シート体５０をフランジ部１２に着脱可能に取り付けることができる。第２取り付け部５４の上面部は入浴者の頭が載るので、クッション性がある素材とすることが好ましい。また、貯湯部１１の短手側から外方へ張り出し且つ貫通穴が設けられていない箇所のフランジ部１２の張り出し量を、貯湯部１１の長手側から外方へ張り出している箇所のフランジ部１２の張り出し量と異なるようにすることが好ましい。これにより、第２取り付け部５４が誤った箇所に取り付けられることを防ぐことができる。
【００３８】
そして、図６に示すように入浴者が第２取り付け部側に頭を向けて横臥面部５１に横たわってから、昇降機構２０の支柱２１及び支柱２２並びに連結部２３を下降させ図７に示す状態にする。また、被介護者や高齢者等が貯湯部１１から出る際の手順は上述した被介護者や高齢者等が貯湯部１１に入る際の手順の逆となる。これらの手順を実行することにより、被介護者や高齢者等が楽に入浴できる。
【００３９】
一方、横臥面部を必要としない入浴者（例えば健常者）が入浴する際には、図１と同様の状態にすることで、一般的な入浴装置と同程度に浴槽１０の貯湯部１１内を広くして入浴することができる。すなわち、被介護者や高齢者等が使用するのに好適な入浴装置の汎用性をより一層高めることができる。また、本実施形態に係る入浴装置では昇降機構２０が一切湯に浸からないので、被介護者や高齢者等が使用するのに好適な入浴装置の清掃性をより一層向上できる。
【００４０】
＜第３実施形態＞
図８及び図９は本発明の第３実施形態に係る入浴装置の概略斜視図である。本実施形態に係る入浴装置において本発明の第１実施形態に係る入浴装置と同様の部分には同一の符号を付し詳細な説明を省略する。
【００４１】
本実施形態に係る入浴装置は、連結部２３がスライド機構のガイド部である点で本発明の第１実施形態に係る入浴装置と異なっており、それ以外の点では本発明の第１実施形態に係る入浴装置と同一である。
【００４２】
本実施形態に係る入浴装置の昇降機構２０に着脱可能な背もたれ椅子４０は、座面部４１と、背もたれ部４２と、取り付け部４３とを備えている。座面部４１と背もたれ部４２とを側面から見た場合、それらは略Ｌ字形状になっている。なお、本実施形態においては、座面部４１と背もたれ部４２とを一体成型しているが、座面部４１と背もたれ部４２とを別々の部品とし、座面部４１の後端部と背もたれ部４２の下端部とを接続する形態であっても構わない。取り付け部４３は背もたれ部４２の背面側（入浴者がもたれかかる面の裏面側）に配置されている。取り付け部４３はスライド機構のスライド部であり、側面から見た場合に下方が開放されている略コの字形状になっている。取り付け部４３を連結部２３に沿って略水平方向にスライドさせることによって、背もたれ椅子４０を昇降機構２０に着脱可能に取り付けることができる。なお、取り付け部４３に形成されている２つの側面及び１つの上面からなる略コの字形状の上面（連結部２３の上面に接する面）にローラを設けるようにすることが好ましい。このようにローラを設けることで、小さな力で取り付け部４３を連結部２３に沿って略水平方向にスライドさせることができる。
【００４３】
図８は取り付け部４３を連結部２３に沿って略水平方向にスライドさせ始めた状態を示している。被介護者や高齢者等が貯湯部１１に入る際には、背もたれ椅子４０の昇降機構２０への取り付けが完了し、さらに入浴者が背もたれ椅子４０に座り終わってから、昇降機構２０の支柱２１及び支柱２２並びに連結部２３を下降させ図９に示す状態にする。なお、被介護者や高齢者等が座面部４１に座った状態で取り付け部４３を連結部２３に沿って略水平方向にスライドさせ被介護者や高齢者等を浴槽内に進入させることもできる。また、被介護者や高齢者等が貯湯部１１から出る際の手順は上述した被介護者や高齢者等が貯湯部１１に入る際の手順の逆となる。これらの手順を実行することにより、被介護者や高齢者等が楽に入浴できる。また、背もたれ椅子４０を略水平方向にスライドするスライド機構によって昇降機構２０に取り付けることができるので、背もたれ椅子４０が湯に浸かった際に浮力により背もたれ椅子４０が昇降機構２０から外れることを防止することができる。
【００４４】
一方、座面部を必要としない入浴者（例えば健常者）が入浴する際には、昇降機構２０から背もたれ椅子４０を取り外し、さらに昇降機構２０の支柱２１及び支柱２２並びに連結部２３を下降させた状態にすることで、一般的な入浴装置と同程度に浴槽１０の貯湯部１１内を広くして入浴することができる。すなわち、被介護者や高齢者等が使用するのに好適な入浴装置の汎用性をより一層高めることができる。また、本実施形態に係る入浴装置では昇降機構２０が一切湯に浸からないので、被介護者や高齢者等が使用するのに好適な入浴装置の清掃性をより一層向上できる。
【００４５】
なお、背もたれ椅子４０の取り付け部４３に関する第１実施形態から本実施形態への形状変更と同様の変更を、第２実施形態のシート体５０の第１取り付け部５３に対して行うことで、シート体を略水平方向にスライドするスライド機構によって本実施形態に係る入浴装置の昇降機構２０に取り付けることができる。
【００４６】
＜第４実施形態＞
図１０は本発明の第４実施形態に係る入浴装置の概略斜視図である。本実施形態に係る入浴装置において本発明の第１実施形態に係る入浴装置と同様の部分には同一の符号を付し詳細な説明を省略する。
【００４７】
本実施形態に係る入浴装置は、昇降機構２０が連結部２３の一端から連結部２３の軸方向に延伸する第１延伸部２４を備えている点で本発明の第１実施形態に係る入浴装置と異なっており、それ以外の点では本発明の第１実施形態に係る入浴装置と同一である。
【００４８】
ここで、図１１〜図１３を参照して、被介護者や高齢者等が貯湯部１１に入る際の手順について説明する。まず、図１１に示すように昇降機構２０の支柱２１及び支柱２２と連結部２３と第１延伸部２４とを上昇させた状態にする。続いて、図１２に示すように背もたれ椅子４０を昇降機構２０に取り付ける。
【００４９】
背もたれ椅子４０の取り付け部４３は側面から見た場合に下方が開放されている略コの字形状になっており、取り付け部４３を連結部２３に引っ掛けることによって、背もたれ椅子４０を昇降機構２０に着脱可能に取り付けることができる。
【００５０】
そして、図１２に示す状態において入浴者が背もたれ椅子４０に座り終わってから、昇降機構２０の支柱２１及び支柱２２と連結部２３と第１延伸部２４とを下降させ図１３に示す状態にする。また、被介護者や高齢者等が貯湯部１１から出る際の手順は上述した被介護者や高齢者等が貯湯部１１に入る際の手順の逆となる。これらの手順を実行することにより、被介護者や高齢者等が楽に入浴できる。さらに、図１２に示す状態にすることで、浴室の洗い場での入浴者の立位保持や立ち上がりを補助する補助具として第１延伸部２４を利用することができる。
【００５１】
本実施形態に係る入浴装置では、図１４に示すように昇降機構２０の支柱２１及び支柱２２と連結部２３と第１延伸部２４とを上昇させた状態において背もたれ椅子４０の取り付け部４３を第１延伸部２４に引っ掛けることも可能である。この場合、フランジ部１２の上面と背もたれ椅子４０の座面部４１の上面とが略同一の高さであることが好ましい。なぜなら、フランジ部１２は、入浴者が跨いだり腰を掛けるのに適した高さに設計されているからである。背もたれ椅子４０の取り付け部４３を第１延伸部２４に引っ掛けることで、入浴者が浴室の洗い場で背もたれ椅子４０に腰をかけることが可能になり、入浴者の利便性が向上する。
【００５２】
また、本実施形態に係る入浴装置では、図１５に示すように背もたれ椅子４０の代わりに本発明の第２実施形態で用いたシート体５０を昇降機構２０の連結部２３に取り付けることもできる。
【００５３】
一方、座面部又は横臥面部を必要としない入浴者（例えば健常者）が入浴する際には、図１０に示す状態にすることで、一般的な入浴装置と同程度に浴槽１０の貯湯部１１内を広くして入浴することができる。すなわち、被介護者や高齢者等が使用するのに好適な入浴装置の汎用性をより一層高めることができる。なお、貯湯部１１内では座面部又は横臥面部を必要としない入浴者（例えば健常者）が入浴する際に図１４に示すような状態にして入浴者が浴室の洗い場で背もたれ椅子４０に腰をかけることができるようにしてもよい。また、本実施形態に係る入浴装置では昇降機構２０が一切湯に浸からないので、被介護者や高齢者等が使用するのに好適な入浴装置の清掃性をより一層向上できる。
【００５４】
＜第５実施形態＞
図１６は本発明の第５実施形態に係る入浴装置の概略斜視図である。本実施形態に係る入浴装置において本発明の第４実施形態に係る入浴装置と同様の部分には同一の符号を付し詳細な説明を省略する。
【００５５】
本実施形態に係る入浴装置は、昇降機構２０が連結部２３の他端から連結部２３の軸方向に延伸する第２延伸部２５を備えている点で本発明の第４実施形態に係る入浴装置と異なっており、それ以外の点では本発明の第４実施形態に係る入浴装置と同一である。
【００５６】
本実施形態に係る入浴装置は、本発明の第４実施形態に係る入浴装置と同様の効果を奏し、さらに図１７に示す状態にすることで、浴室の洗い場が連結部２３の一端側、他端側のいずれに配置されていても、浴室の洗い場での入浴者の立位保持や立ち上がりを補助する補助具として第１延伸部２４または第２延伸部２５を利用することができる。
【００５７】
＜まとめ＞
以上、本発明の実施形態につき説明したが、本発明の範囲はこれに限定されるものではなく、発明の主旨を逸脱しない範囲で種々の変更を加えて実施することができる。例えば昇降機構を、貯湯部の外に設けられる支柱と、その支柱に沿って移動可能な可動部と、可動部を駆動可能な駆動部とを含む構成にすることも可能である。
【００５８】
また、シート体５０の水切れを良好にするために、シート体５０をネット状にしてもよい。また、第１延伸部２４を軸方向に伸縮可能な構造にしてもよい。同様に、第２延伸部２５を軸方向に伸縮可能な構造にしてもよい。
【符号の説明】
【００５９】
１０  浴槽
１１  貯湯部
１２  フランジ部
２０  昇降機構
２１、２２  支柱
２３  連結部
２４  第１延伸部
２５  第２延伸部
３０  カバー部
４０  背もたれ椅子
４１  座面部
４２  背もたれ部
４３  取り付け部
５０  シート体
５１  横臥面部
５２  吊り上げ部
５３  第１取り付け部
５４  第２取り付け部
【図１】
2015202346.tif 000003
【図２】
2015202346.tif 000004
【図３】
2015202346.tif 000005
【図４】
2015202346.tif 000006
【図５】
2015202346.tif 000007
【図６】
2015202346.tif 000008
【図７】
2015202346.tif 000009
【図８】
2015202346.tif 000010
【図９】
2015202346.tif 000011
【図１０】
2015202346.tif 000012
【図１１】
2015202346.tif 000013
【図１２】
2015202346.tif 000014
【図１３】
2015202346.tif 000015
【図１４】
2015202346.tif 000016
【図１５】
2015202346.tif 000017
【図１６】
2015202346.tif 000018
【図１７】
2015202346.tif 000019